(57)【要約】      （修正有）【課題】折り畳み操作が簡単で、かつ、確実な電子機器スタンド兼用カバーを提供する。【解決手段】ヒンジ１２によって電子機器１０の両面に回転してカバー又はスタンドとして使用可能な４角形のカバー本体２３であって、このカバー本体は、前記ヒンジ側とその反対側の間で２つの面部に区画され、前記ヒンジと反対側の面部には、長方形面部２５と、この長方形面部の両側辺を一辺とした左右の直角３角面部と、これら左右の直角３角面部２６、２７の一辺と前記カバー本体の両側辺の一部を２等辺とする左右の２等辺３角面部２８、２９とを形成する。さらに、前記６つの各面部の隣接辺をそれぞれ屈曲ライン２４ａ〜２４ｇとし、前記左右の２等辺３角面部に磁石３０ａを設けるとともに、これら左右の２等辺３角面部を６角面部３９に折り返したときの前記６角面部に前記磁石に吸着する磁石３０ｂを設ける。【選択図】図１
0003179191.tif 000002
【実用新案登録請求の範囲】
【請求項１】
電子機器の側縁部のヒンジによって前記電子機器の両面に回転してカバー又はスタンドとして使用可能な４角形のカバー本体であって、このカバー本体は、前記ヒンジ側とその反対側の間で２つの面部に区画され、前記ヒンジと反対側の面部には、長方形面部と、この長方形面部の両側辺を一辺とした左直角３角面部と右直角３角面部と、これら左直角３角面部と右直角３角面部の一辺と前記カバー本体の両側辺の一部を２等辺とする左２等辺３角面部と右２等辺３角面部とを形成し、前記６つの各面部の隣接辺をそれぞれ屈曲ラインとし、前記左２等辺３角面部と右２等辺３角面部に磁石を設けるとともに、これら左２等辺３角面部と右２等辺３角面部を６角面部に折り返したときの前記６角面部に前記磁石に吸着する磁石を設けたことを特徴とする電子機器スタンド兼用カバー。
【請求項２】
電子機器の側縁部のヒンジによって前記電子機器の両面に回転してカバー又はスタンドとして使用可能な４角形のカバー本体であって、このカバー本体は、前記ヒンジ側とその反対側の間で２つの面部に区画され、前記ヒンジと反対側の面部には、長方形面部と、この長方形面部の両側辺を一辺とした左直角３角面部と右直角３角面部と、これら左直角３角面部と右直角３角面部の一辺と前記カバー本体の両側辺の一部を２等辺とする左２等辺３角面部と右２等辺３角面部とを形成し、前記６つの各面部の隣接辺をそれぞれ屈曲ラインとし、前記長方形面部に磁石を設けるとともに、この長方形面部を６角面部に折り返したときの前記６角面部に前記磁石に吸着する磁石を設けたことを特徴とする電子機器スタンド兼用カバー。
【請求項３】
電子機器の側縁部のヒンジによって前記電子機器の両面に回転してカバー又はスタンドとして使用可能な４角形のカバー本体であって、このカバー本体は、前記ヒンジ側とその反対側の間で２つの面部に区画し、前記ヒンジの反対側の側辺は、一方端から他方端に点ｅ，ｆ，ｇ，ｈを設定し、前記２つの面部に区画する線上に点ａ，ｂ，ｃ，ｄを設定したとき、前記点ｂｆｇと点ｃｇｈでそれぞれ左直角３角面部と右直角３角面部を形成し、前記点ａｂｅと点ｃｄｈでそれぞれ左２等辺３角面部と右２等辺３角面部を形成し、前記ｂｃｇｆで長方形面部を形成し、前記ヒンジ側の残りの面部は、６角面部とし、前記線分ａｂ，ｂｃ，ｃｄ，ｂｅ，ｂｆ，ｃｇ，ｃｈをそれぞれ屈曲ラインとし、前記線分ｂｅと線分ｃｈは、前記線分ａｂの屈曲ラインと線分ｃｄの屈曲ラインを折り畳んだとき、前記６角面部のヒンジ側の側辺に略一致するか矢や内部に位置して設定し、前記左２等辺３角面部と右２等辺３角面部に磁石を設けるとともに、これら左２等辺３角面部と右２等辺３角面部を６角面部に折り返したときの前記６角面部に前記左２等辺３角面部と右２等辺３角面部の磁石に吸着する磁石を設け、前記長方形面部に磁石を設けるとともに、この長方形面部を６角面部に折り返したときの前記６角面部に前記長方形面部の磁石に吸着する磁石を設けたことを特徴とする電子機器スタンド兼用カバー。
【請求項４】
左直角３角面部と右直角３角面部における∠ｂｅｆと∠ｃｈｆを５０〜８０度に設定したことを特徴とする請求項３記載の電子機器スタンド兼用カバー。
【請求項５】
４角形の電子機器とカバー本体のヒンジによる連結箇所は、長手方向としたことを特徴とする１，２，３又は４記載の電子機器スタンド兼用カバー。
【請求項６】
４角形の電子機器とカバー本体のヒンジによる連結箇所は、短手方向としたことを特徴とする１，２，３又は４記載の電子機器スタンド兼用カバー。
【考案の詳細な説明】
【技術分野】
【０００１】
本考案は、タブレット型パソコン、スマートフォン、携帯用電子機器などの電子機器のカバーをスタンドとして兼用可能な電子機器スタンド兼用カバーに関するものである。
【背景技術】
【０００２】
従来、図５ないし図７に示すような電子機器スタンド兼用カバーが知られている（特許文献１）。
これらの図において、１０は、タブレット型パソコン、スマートフォン、携帯用電子機器などの電子機器で、この電子機器１０の長手の側縁部に、電子機器１０のディスプレイ１３を保護するためのカバー本体１１が２軸のヒンジ１２によって表側に被せてカバーとして使用し、裏側に折り畳んでスタンドとして使用できるように開閉自在に設けられている。前記電子機器１０とカバー本体１１は、ヒンジ１２と磁石等により着脱自在に設けられている。
前記カバー本体１１には、長手方向に平行な３本の屈曲ライン１４が両面に設けられ、第１カバー面部１５と第２カバー面部１６と第３カバー面部１７と第４カバー面部１８に区画されている。このカバー本体１１は、図６に示すように、細長い板状の硬質芯材１９が互いに隙間をもって並べられ、上下面に軟質被膜２０で貼着され、それぞれの硬質芯材１９の隙間部分が屈曲可能な屈曲ライン１４として機能している。前記第１カバー面部１５と第４カバー面部１８の内部には、順次折り畳んでスタンドとして使用するときに３角筒を保持するための互いに吸着する磁石２１が設けられている。
【０００３】
電子機器１０を持ち運んだり、使用しないときには、電子機器１０の表側にカバー本体１１を被せて保護する。
カバー本体１１をスタンドとして使用するときには、図７（ａ）に示すように、電子機器１０の裏側に、カバー本体１１の第４カバー面部１８側を外向きに折り畳み、第４カバー面部１８の側縁部を第１カバー面部１５と第２カバー面部１６の間の屈曲ライン１４に当接してさらに折り畳むと、３角筒が形成されるので、第２カバー面部１６をテーブル２２に接するように置き、電子機器１０の基端部をテーブル２２におくと、約１１度の傾斜角で電子機器１０が立て掛けられた状態で使用できる。このとき、第１カバー面部１５と第４カバー面部１８が磁石２１で吸着して３角筒が保持される。
また、３角筒を形成した状態で図７（ｂ）に示すように、第１カバー面部１５の下向き面をテーブル２２に接するようにおき、電子機器１０のヒンジ１２側部をテーブル２２におくと、約７５度の傾斜角で電子機器１０が立て掛けられた状態で使用できる。
さらに、図７（ｂ）において、３角筒をグリップとして手で握るようにして持てば、電子機器１０は、縦向きにして使用することもできる。
【０００４】
また、図８（ａ）（ｂ）（ｃ）に示すような電子機器スタンド兼用カバーが知られている（特許文献２）。
スタンドとカバーを兼用する支持プレート４０は、下部プレート４１と屈曲自在に連結され、この連結部には、電子機器１０を立て掛けるための切り込み４２が設けられている。前記支持プレート４０は、前記切り込み４２側に２等辺３角形４３が位置し、この２等辺３角形４３の両側に直角３角形４４と４５が位置し、前記切り込み４２の反対側に長方形４６と４７が位置するように区分され、これらの境界線は、屈曲可能な折り跡４８となっている。
【０００５】
以上のような構成において、カバーとして使用するときには、下部プレート４１を電子機器１０の裏側にセットし、支持プレート４０で電子機器１０のディスプレイ１３側を覆って保護する。
スタンドとして使用するときには、支持プレート４０を下部プレート４１と鈍角になるように折り込み、直角３角形４４と４５を後ろ向きに折り込み、長方形４６と４７を接触させ、図８（ｂ）のように側縁部５１と５２がテーブル２２に接するようにて電子機器１０を横置きにして立て掛ける。
このスタンドには、電子機器１０を縦置きにして立て掛けることもできる。
【先行技術文献】
【特許文献】
【０００６】
【特許文献１】意匠登録第１４２９３３９号公報。
【特許文献２】実用新案登録第３１７１６５０号公報。
【考案の概要】
【考案が解決しようとする課題】
【０００７】
特許文献１に記載のものは、３角筒をスタンドとして使用する場合、図７（ａ）（ｂ）に示すように、いずれも電子機器１０のディスプレイ１３を横向きにしか立てかけることができない。また、図７（ｂ）に示すように、約７５度で立て掛けた場合、スタンドとしての３角筒が手前側にあり、かつ、第１カバー面部１５の面積が小さいので、電子機器１０の上方部のディスプレイ１３を手で触って操作しようとすると、転倒してしまう恐れがあるという問題があった。
【０００８】
特許文献２に記載のものは、支持プレート４０と下部プレート４１が一体のものであることが前提なので、下部プレート４１の切り込み４２部分に電子機器１０を横置きにのせて図８（ｂ）に示すように立てかけて使用する。電子機器１０を縦置きにのせて立てかけて使用することもできる。
しかし、支持プレート４０の切り込み４２部分に電子機器１０を横置きにのせたまま、電子機器１０を９０度傾けて縦置きに使用しようとすると、図８（ｃ）に示すように、長方形４６と４７の端縁部がテーブル２２に接したとき、折り跡４８部分が不安定なために電子機器１０の重さで折り跡４８部分が折れ曲がり、電子機器１０が２点鎖線の位置まで傾いてしまう恐れがあり、安定して保持することができない。
また、長方形４６と４７を接触するように重ね合わせた時に固定するのは、取り付け孔４９に結び帯び５０を通すという面倒な作業を必要とする。
【０００９】
本考案は、電子機器の側縁部にカバー本体を取り付けたタイプの電子機器スタンド兼用カバーにおいて、スタンドとして使用するためのカバー本体の折り畳み操作が簡単、かつ、確実で、電子機器の角度を画像鑑賞時の高い角度状態と、キー操作時の低い角度状態等、多段階の角度で安定して立て掛けることができるとともに、電子機器におけるディスプレイのどの位置を手で触って操作してと、転倒してしまうおそれのない電子機器スタンド兼用カバーを提供しようとするものである。
【課題を解決するための手段】
【００１０】
本考案による電子機器スタンド兼用カバーは、電子機器の側縁部のヒンジによって前記電子機器の両面に回転してカバー又はスタンドとして使用可能な４角形のカバー本体であって、このカバー本体は、前記ヒンジ側とその反対側の間で２つの面部に区画し、前記ヒンジの反対側の側辺は、一方端から他方端に点ｅ，ｆ，ｇ，ｈを設定し、前記２つの面部に区画する線上に点ａ，ｂ，ｃ，ｄを設定したとき、前記点ｂｆｇと点ｃｇｈでそれぞれ左直角３角面部と右直角３角面部を形成し、前記点ａｂｅと点ｃｄｈでそれぞれ左２等辺３角面部と右２等辺３角面部を形成し、前記ｂｃｇｆで長方形面部を形成し、前記ヒンジ側の残りの面部は、６角面部とし、前記線分ａｂ，ｂｃ，ｃｄ，ｂｅ，ｂｆ，ｃｇ，ｃｈをそれぞれ屈曲ラインとし、前記線分ｂｅと線分ｃｈは、前記線分ａｂの屈曲ラインと線分ｃｄの屈曲ラインを折り畳んだとき、前記６角面部のヒンジ側の側辺に略一致するか矢や内部に位置して設定し、前記左２等辺３角面部と右２等辺３角面部に磁石を設けるとともに、これら左２等辺３角面部と右２等辺３角面部を６角面部に折り返したときの前記６角面部に前記左２等辺３角面部と右２等辺３角面部の磁石に吸着する磁石を設け、前記長方形面部に磁石を設けるとともに、この長方形面部を６角面部に折り返したときの前記６角面部に前記長方形面部の磁石に吸着する磁石を設けたことを特徴とする。
【考案の効果】
【００１１】
請求項１記載の考案によれば、電子機器の側縁部のヒンジによって前記電子機器の両面に回転してカバー又はスタンドとして使用可能な４角形のカバー本体であって、このカバー本体は、前記ヒンジ側とその反対側の間で２つの面部に区画され、前記ヒンジと反対側の面部には、長方形面部と、この長方形面部の両側辺を一辺とした左直角３角面部と右直角３角面部と、これら左直角３角面部と右直角３角面部の一辺と前記カバー本体の両側辺の一部を２等辺とする左２等辺３角面部と右２等辺３角面部とを形成し、前記６つの各面部の隣接辺をそれぞれ屈曲ラインとし、前記左２等辺３角面部と右２等辺３角面部に磁石を設けるとともに、これら左２等辺３角面部と右２等辺３角面部を６角面部に折り返したときの前記６角面部に前記磁石に吸着する磁石を設けたので、左右の２等辺３角面部を６角面部に折り返すと、左右の２等辺３角面部の磁石と６角面部の磁石が吸着し、左右の直角３角面部は、略垂直に立ち上がり、傾斜角度を設定する役目を果たし、また、左右の２等辺３角面部は、左右の直角３角面部の垂直状態を保持し、スタンドとしてしっかりと電子機器を保持することができる。また、角度の高いスタンドとしても低いスタンドとしても機能することができる。
【００１２】
請求項２記載の考案によれば、電子機器の側縁部のヒンジによって前記電子機器の両面に回転してカバー又はスタンドとして使用可能な４角形のカバー本体であって、このカバー本体は、前記ヒンジ側とその反対側の間で２つの面部に区画され、前記ヒンジと反対側の面部には、長方形面部と、この長方形面部の両側辺を一辺とした左直角３角面部と右直角３角面部と、これら左直角３角面部と右直角３角面部の一辺と前記カバー本体の両側辺の一部を２等辺とする左２等辺３角面部と右２等辺３角面部とを形成し、前記６つの各面部の隣接辺をそれぞれ屈曲ラインとし、前記長方形面部に磁石を設けるとともに、この長方形面部を６角面部に折り返したときの前記６角面部に前記磁石に吸着する磁石を設けたので、屈曲ラインで長方形面部を６角面部に重ねると、磁石が吸着し、左右の直角３角面部は、略垂直に立ち上がり、傾斜角度を設定する役目を果たし、また、左右の２等辺３角面部と左右の直角３角面部の角部がテーブル等に接して電子機器のスタンドとして機能することができる。また、角度の高いスタンドとしても低いスタンドとしても機能することができる。
【００１３】
請求項３記載の考案によれば、電子機器の側縁部のヒンジによって前記電子機器の両面に回転してカバー又はスタンドとして使用可能な４角形のカバー本体であって、このカバー本体は、前記ヒンジ側とその反対側の間で２つの面部に区画し、前記ヒンジの反対側の側辺は、一方端から他方端に点ｅ，ｆ，ｇ，ｈを設定し、前記２つの面部に区画する線上に点ａ，ｂ，ｃ，ｄを設定したとき、前記点ｂｆｇと点ｃｇｈでそれぞれ左直角３角面部と右直角３角面部を形成し、前記点ａｂｅと点ｃｄｈでそれぞれ左２等辺３角面部と右２等辺３角面部を形成し、前記ｂｃｇｆで長方形面部を形成し、前記ヒンジ側の残りの面部は、６角面部とし、前記線分ａｂ，ｂｃ，ｃｄ，ｂｅ，ｂｆ，ｃｇ，ｃｈをそれぞれ屈曲ラインとし、前記線分ｂｅと線分ｃｈは、前記線分ａｂの屈曲ラインと線分ｃｄの屈曲ラインを折り畳んだとき、前記６角面部のヒンジ側の側辺に略一致するか矢や内部に位置して設定し、前記左２等辺３角面部と右２等辺３角面部に磁石を設けるとともに、これら左２等辺３角面部と右２等辺３角面部を６角面部に折り返したときの前記６角面部に前記左２等辺３角面部と右２等辺３角面部の磁石に吸着する磁石を設け、前記長方形面部に磁石を設けるとともに、この長方形面部を６角面部に折り返したときの前記６角面部に前記長方形面部の磁石に吸着する磁石を設けたので、屈曲ラインの折り畳み方次第で、２種類のスタンドがそれぞれ異なる高低角度のスタンドとして機能させることができる。
【００１４】
請求項４記載の考案によれば、左直角３角面部と右直角３角面部における∠ｂｅｆと∠ｃｈｆを５０〜８０度に設定したので、高い角度のスタンドとして使用することができるとともに、スタンドのテーブル等との接触部分を支点として倒すと、低い角度のスタンドとして機能することができる。
【００１５】
請求項５記載の考案によれば、４角形の電子機器とカバー本体のヒンジによる連結箇所は、長手方向としたので、電子機器を横長状態で高い角度のスタンドとして使用することができるとともに、スタンドのテーブル等との接触部分を支点として倒すと、低い角度のスタンドとして機能することができる。
【００１６】
請求項６記載の考案によれば、４角形の電子機器とカバー本体のヒンジによる連結箇所は、短手方向としたので、電子機器を縦長状態で高い角度のスタンドとして使用することができるとともに、スタンドのテーブル等との接触部分を支点として倒すと、低い角度のスタンドとして機能することができる。
【図面の簡単な説明】
【００１７】
【図１】本考案による電子機器スタンド兼用カバーの一実施例を示す正面図である。
【図２】図１におけるＡ−Ａ線断面図である。
【図３】本考案による電子機器スタンド兼用カバーを第１の方法で折り畳んでスタンドとして使用している状態を示すもので、（ａ）は、電子機器を高い角度で立て掛けたときを示す斜視図、（ｂ）は、電子機器を低い角度で立て掛けたときを示す斜視図である。
【図４】本考案による電子機器スタンド兼用カバーを第２の方法で折り畳んでスタンドとして使用している状態を示すもので、（ａ）は、電子機器を高い角度で立て掛けたときを示す斜視図、（ｂ）は、電子機器を低い角度で立て掛けたときを示す斜視図である。
【図５】特許文献１記載のカバー本体１１（実線）と電子機器（２点鎖線）の正面図である。
【図６】図５におけるカバー本体の一部拡大し断面にした平面図である。
【図７】図５のカバー本体をスタンドとしての使用例を示すもので、（ａ）は、電子機器を低い角度で立て掛けたときの側面図、（ｂ）は、電子機器を高い角度で立て掛けたときの側面図である。
【図８】（ａ）は、特許文献２記載の支持プレートと下部プレートの正面図、（ｂ）は、電子機器を横置きスタンドに横置きとした状態の背部から見た斜視図、（ｃ）は、電子機器を横置きスタンドとともに縦置きとした状態の側面図である。
【考案を実施するための形態】
【００１８】
本考案の電子機器スタンド兼用カバーは、電子機器の側縁部のヒンジによって前記電子機器の両面に回転してカバー又はスタンドとして使用可能な４角形のカバー本体であって、このカバー本体は、前記ヒンジ側とその反対側の間で２つの面部に区画し、前記ヒンジの反対側の側辺は、一方端から他方端に点ｅ，ｆ，ｇ，ｈを設定し、前記２つの面部に区画する線上に点ａ，ｂ，ｃ，ｄを設定したとき、前記点ｂｆｇと点ｃｇｈでそれぞれ左直角３角面部と右直角３角面部を形成し、前記点ａｂｅと点ｃｄｈでそれぞれ左２等辺３角面部と右２等辺３角面部を形成し、前記ｂｃｇｆで長方形面部を形成し、前記ヒンジ側の残りの面部は、６角面部とし、前記線分ａｂ，ｂｃ，ｃｄ，ｂｅ，ｂｆ，ｃｇ，ｃｈをそれぞれ屈曲ラインとし、前記線分ｂｅと線分ｃｈは、前記線分ａｂの屈曲ラインと線分ｃｄの屈曲ラインを折り畳んだとき、前記６角面部のヒンジ側の側辺に略一致するか矢や内部に位置して設定し、前記左２等辺３角面部と右２等辺３角面部に磁石を設けるとともに、これら左２等辺３角面部と右２等辺３角面部を６角面部に折り返したときの前記６角面部に前記左２等辺３角面部と右２等辺３角面部の磁石に吸着する磁石を設け、前記長方形面部に磁石を設けるとともに、この長方形面部を６角面部に折り返したときの前記６角面部に前記長方形面部の磁石に吸着する磁石を設ける。
【００１９】
左直角３角面部と右直角３角面部における∠ｂｅｆと∠ｃｈｆを５０〜８０度に設定する。
また、４角形の電子機器とカバー本体のヒンジによる連結箇所は、長手方向又は短手方向とすることができる。
【実施例１】
【００２０】
本考案による電子機器用カバーの一実施例を図１及び図２に基づき説明する。
図１において、１０は、タブレット型パソコン、スマートフォン、携帯用電子機器などの電子機器で、この電子機器１０の長手の側縁部に、電子機器１０のディスプレイ１３を保護するためのカバー本体２３がヒンジ１２によって電子機器１０の表側にはカバーとして、電子機器１０の裏側にはスタンドとして使用できるように開閉自在に設けられている。前記ヒンジ１２は、電子機器１０とカバー本体２３を磁石等により着脱自在に設けられているものであってもよいし、固定的に取り付けたものであってもよい。
【００２１】
前記カバー本体２３は、図１に示すように、前記電子機器１０と略同一寸法とし、横寸法ｍ、縦寸法ｎの長方形とする。このカバー本体２３は、内部にプラスチックなどの薄板で、形状の異なる複数枚の硬質芯材３２を用い、これらの硬質芯材３２を相互に隙間をもって配置し、両面を軟質で屈曲し易い布状の内側被膜３３と外側被膜３４で被覆したもので、隙間部分が屈曲ライン２４を構成している。ディスプレイ１３に接触する側の内側被膜３３は、ディスプレイ１３を傷つけず、かつ、被せたときクリーニングするような素材が望ましく、外側の外側被膜３４は、汚れにくい素材が望ましい。
【００２２】
前記カバー本体２３を構成する複数枚の前記硬質芯材３２は、ヒンジ１２と反対側に配置された長方形面部２５と、この長方形面部２５の側辺を一辺とする直角３角形をなした左直角３角面部２６と右直角３角面部２７と、これらの左右直角３角面部２６、２７の斜辺と前記カバー本体２３の側辺の一部を２等辺とする左２等辺３角面部２８と右２等辺３角面部２９と、ヒンジ１２側の残りの６角面部３９とからなる。これらの各面部の交点を図１に示すように、それぞれａ，ｂ，ｃ，ｄ，ｅ，ｆ，ｇ，ｈ，ｉ，ｊとすると、各線分ａｂ，ｂｃ，ｃｄ，ｂｅ，ｂｆ，ｃｇ，ｃｈが屈曲ライン２４ａ、２４ｂ、２４ｃ、２４ｄ、２４ｅ、２４ｆ、２４ｇを構成している。
【００２３】
前記６面部２５，２６，２７，２８，２９，３９は、次のように設定される。
前記左直角３角面部２６は、折り畳んだとき略垂直の立ち上がり保持面を構成するもので、∠ｂｆｅ＝略９０度とし、また、∠ｂｅｆ＝αは、電子機器１０を高い角度で立て掛け保持するための角度となり、５０〜８０度、より好ましくは、５５〜６０度とする。これの設定により、∠ｅｂｆ＝βは、電子機器１０を低い角度で立て掛け保持するための角度となり、１０〜４０度、より好ましくは、３０〜３５度とする。また、この左直角３角面部２６の斜辺の長さｂｅは、折り畳んだとき、点ｅが前記カバー本体２３のヒンジ１２側の側辺の点ｉに略一致するかそれより内側になるように設定される。
【００２４】
点ｂが設定されたら線分ｂｅ＝ａｅとなるように左２等辺３角面部２８が設定される。このとき、∠ａｅｂ＝９０−αとなる。右直角３角面部２７と右２等辺３角面部２９についても前記左右直角３角面部２６と左２等辺３角面部２８と同様にして設定する。
前記左２等辺３角面部２８と右２等辺３角面部２９には、第１の方法で折り畳んだときの吸着用として、それぞれ磁石３０ａが埋設され、これらが折り畳まれたときの対応位置の△ｉａｂと△ｊｃｄにも吸着用の磁石３０ｂが埋設される。
また、前記長方形面部２５の両側縁近くには、第２の方法で折り畳んだときの吸着用として、それぞれ磁石３１ａが埋設され、前記長方形面部２５が折り畳まれたときの対応位置で、線分ｉｂの内側と線分ｊｃの内側にも吸着用の磁石３０ｂが埋設される。
【００２５】
次に第１の方法で折り畳んでスタンド３５として使用する場合を図３（ａ）（ｂ）に基き説明する。
屈曲ライン２４ｄと２４ｇを山折りとしつつ、屈曲ライン２４ｂを谷折りとすると、屈曲ライン２４ａ，２４ｅ，２４ｆ，２４ｃが谷折りとなり、左２等辺３角面部２８と右２等辺３角面部２９が６角面部３９の△ｉａｂと△ｊｃｄにそれぞれ重なり、左右の磁石３０ａと３０ｂが吸着する。このとき、左右の直角３角面部２６と２７は、略垂直に立ち上がり、傾斜角度を設定する役目を果たし、また、左右の２等辺３角面部２８と２９は、左右の直角３角面部２６と２７の垂直状態を保持する役目を果たす。
【００２６】
この状態で、図３（ａ）に示すように、ｅ（ｉ），ｆ，ｇ，ｈ（ｊ）の各点がテーブル２２等に接するように立てて、ヒンジ１２がテーブル２２側になるようにして６角面部３９に電子機器１０がよりかかるように立て掛けると、電子機器１０は、５０〜６０の高い角度でセットされる。
電子機器１０を６角面部３９に寄りかかったままで、長方形面部２５の線分ｆｇを支点にして長方形面部２５がテーブル２２等に接するように傾けると、図３（ｂ）に示すように、低い角度γ＜βでセットされる。このとき、ディスプレイ１３は、上下反転するが、ジャイロスコープと加速度センサなどからなる上下位置センサにより画面は正常に表示される。
【００２７】
次に第２の方法で折り畳んでスタンド３５として使用する場合を図４（ａ）（ｂ）に基き説明する。
屈曲ライン２４ｄと２４ｇを谷折りとしつつ、屈曲ライン２４ｂを谷折りとすると、屈曲ライン２４ａ，２４ｃが谷折りとなり、屈曲ライン２４ｅ，２４ｃが山折りとなり、長方形面部２５が６角面部３９に重なり、磁石３１ａと３１ｂが吸着する。このとき、左右の直角３角面部２６と２７は、略垂直に立ち上がり、傾斜角度を設定する役目を果たし、また、左右の２等辺３角面部２８と２９は、左右の直角３角面部２６と２７を保持する役目を果たす。
【００２８】
この状態で、図４（ａ）に示すように、点ｅ，ｈがテーブル２２等に接するように立てて、ヒンジ１２がテーブル２２側になるようにして６角面部３９に電子機器１０がよりかかるように立て掛けると、電子機器１０は、６０〜８０の高い角度でセットされる。
電子機器１０を６角面部３９に寄りかかったままで、長方形面部２５の直線ｅ，ｈを支点にして長方形面部２５がテーブル２２等に接するように傾けると、図４（ｂ）に示すように、低い角度でセットされる。このとき、ディスプレイ１３は、上下反転するが、ジャイロスコープと加速度センサなどからなる上下位置センサにより画面は正常に表示される。
また、第１の折り畳みの場合と、第２の折り畳みの場合では、電子機器１０のディスプレイ１３が表裏反転するので、ヒンジ１２による取り付けが固定的である場合には、いずれか一方だけの使用となる。
【００２９】
前記実施例では、電子機器１０にディスプレイ１２でカバー本体２３を取り付けるときに、電子機器１０の長辺側に取り付けたが、短辺側に取り付ける場合であってもよい。
【符号の説明】
【００３０】
１０…電子機器、１１…（従来の）カバー本体、１２…ヒンジ、１３…ディスプレイ、１４…屈曲ライン、１５…第１カバー面部、１６…第２カバー面部、１７…第３カバー面部、１８…第４カバー面部、１９…硬質芯材、２０…軟質被膜、２１…磁石、２２…テーブル、２３…（本発明の）カバー本体、２４、２４ａ、２４ｂ、２４ｃ、２４ｄ、２４ｅ、２４ｆ、２４ｇ…屈曲ライン、２５…長方形面部、２６…左直角３角面部、２７…右直角３角面部、２８…左２等辺３角面部、２９…右２等辺３角面部、３０ａ，３０ｂ，…磁石、３１ａ，３１ｂ…磁石、３２…硬質芯材、３３…内側被膜、３４…外側被膜、３５…スタンド、３９…６角面部。
【図１】
0003179191.tif 000003
【図２】
0003179191.tif 000004
【図３】
0003179191.tif 000005
【図４】
0003179191.tif 000006
【図５】
0003179191.tif 000007
【図６】
0003179191.tif 000008
【図７】
0003179191.tif 000009
【図８】
0003179191.tif 000010